(57)【要約】【課題】ユーザが所望する被写体へのピントを容易に合わせることが可能な撮影装置、制御方法、及びプログラムを提供する【解決手段】撮影装置１００の撮影ボタン２２３の半押しを検知すると、ピント合わせを開始し、フォーカスがあった位置を仮の合焦位置として決定し、その後、所定時間以内に、再度、撮影ボタン２２３の半押しを検知すると、仮に決定していた合焦位置をフォーカスの対象外として記憶し、以後、所定時間間隔で、撮影ボタン２２３の半押しを続けることで、ユーザが所望する合焦位置を決定した後、撮影を実行する。【選択図】図３
2016071212.tif 000002
【特許請求の範囲】
【請求項１】
複数の被写体に対してそれぞれフォーカスを順次あてる撮影装置であって、
被写体に対してフォーカスの位置を取得するフォーカス位置取得手段と、
前記フォーカス位置取得手段によって取得した位置を撮影時に利用する位置として用いないことを示すフォーカス対象外情報を記憶する記憶手段と、
前記記憶手段によって記憶された位置を除外して、前記被写体に対してフォーカスをあてるフォーカス制御手段と、
を備えたことを特徴とする撮影装置。
【請求項２】
撮影ボタンの押下を検知する検知手段と、
前記記憶手段は、前記検知手段によって、撮影ボタンが半押しされたことを検知した後、半押しが解除されてから、所定時間以内に、再度、撮影ボタンが半押しされた場合、解除時に被写体に当てられていたフォーカスの位置を、フォーカス対象外情報として記憶することを特徴とする請求項１に記載の撮影装置。
【請求項３】
前記記憶手段は、前記フォーカス位置取得手段によって取得した位置が、顔認識による位置である場合、当該位置をフォーカス対象外情報として記憶することを特徴とする請求項１または２に記載の撮影装置。
【請求項４】
前記フォーカス位置を取得する範囲を特定するフォーカス位置範囲指定手段を備え、
前記フォーカス位置取得手段は、前記フォーカス位置範囲指定手段によって特定された範囲内で、フォーカス位置を取得することを特徴とする請求項１乃至３の何れか１項に記載の撮影装置。
【請求項５】
複数の被写体に対してそれぞれフォーカスを順次あてる撮影装置の制御方法であって、
前記撮影装置は、
被写体に対してフォーカスの位置を取得するフォーカス位置取得ステップと、
前記フォーカス位置取得ステップによって取得した位置を撮影時に利用する位置として用いないことを示すフォーカス対象外情報を記憶する記憶ステップと、
前記記憶ステップによって記憶された位置を除外して、前記被写体に対してフォーカスをあてるフォーカス制御ステップと、
を実行することを特徴とする撮影装置の制御方法。
【請求項６】
複数の被写体に対してそれぞれフォーカスを順次あてる撮影装置で読取実行可能なプログラムあって、
前記撮影装置を、
被写体に対してフォーカスの位置を取得するフォーカス位置取得手段と、
前記フォーカス位置取得手段によって取得した位置を撮影時に利用する位置として用いないことを示すフォーカス対象外情報を記憶する記憶手段と、
前記記憶手段によって記憶された位置を除外して、前記被写体に対してフォーカスをあてるフォーカス制御手段と、
して機能させることを特徴とするプログラム。
【発明の詳細な説明】
【技術分野】
【０００１】
本発明は、被写体に対するピント合わせに関する発明であり、特に、オートフォーカス機能により意図しない被写体あったピントの調整を行う発明に関する。
【背景技術】
【０００２】
多くのカメラにはオートフォーカス（以降、ＡＦ）による自動ピント合わせ機能が備わっている。
【０００３】
こうしたカメラでの合焦位置決定は、専用のＡＦセンサーが持つ複数の測距点から近いもの、撮影素子で被写体のコントラストがもっとも高くなる位置、あるいは顔認識機能により顔を探索することで行われる。この探索方法のうち、とくに顔認識を重視する傾向があり、既定値によって顔認識を優先して設定するカメラも多い。
【０００４】
したがって、ＡＦ機能では、距離、コントラスト、または顔認識でピント合わせが行われるため、撮影者が意図しない被写体へピントが合ってしまうことがあった。
【０００５】
例えば、駅の構内風景を撮影しようとしたときに、ホームに到着した電車にピントを合わせたいにもかかわらず、天井や柱に掲示された広告のロゴや人物写真の顔にピントが合ってしまうことがある。
【０００６】
このような時、カメラのＡＦ設定を変更して着目する測距点を変える、顔認識設定を解除する、被写体へピントを合わせるために撮影したいアングルとは異なる向きへカメラを向ける、といった回避策があるが、設定変更にかかる時間や撮影アングルの移動によってシャッターチャンスを逃してしまうことがあった。
【０００７】
また、タッチパネルをタッチすることにより測距点を指定し撮影する方法では、カメラに付属の小さいタッチパネルをタッチするため、特定の被写体をすぐさまタッチしにくいなど操作性に問題があった。
【０００８】
そこで、特許文献１には、複数の測距ポイントの中から、第１の候補ポイントと、第１の候補ポイントとは異なる第２の候補ポイントを決定し、専用の切り替えスイッチ操作により、第１候補と第２候補の切り替えを行うアイデアが記載されている。
【先行技術文献】
【特許文献】
【０００９】
【特許文献１】特開２００５−３０９７６１号公報
【発明の概要】
【発明が解決しようとする課題】
【００１０】
しかしながら、上記特許文献１のシステムでは、ピント合わせの候補ポイントが２箇所に限られ、かつ、２箇所ともカメラのＡＦのみにより決定される点と、本体に専用のスイッチを設けるためハードウェア設計に影響がある。
【００１１】
そこで、本発明の目的は、ユーザが所望する被写体へのピントを容易に合わせることが可能な撮影装置、制御方法、及びプログラムを提供することである。
【課題を解決するための手段】
【００１２】
上記課題を解決するための第１の発明は、複数の被写体に対してそれぞれフォーカスを順次あてる撮影装置であって、被写体に対してフォーカスの位置を取得するフォーカス位置取得手段と、前記フォーカス位置取得手段によって取得した位置を撮影時に利用する位置として用いないことを示すフォーカス対象外情報を記憶する記憶手段と、前記記憶手段によって記憶された位置を除外して、前記被写体に対してフォーカスをあてるフォーカス制御手段と、を備えたことを特徴とする。
【００１３】
上記課題を解決するための第２の発明は、複数の被写体に対してそれぞれフォーカスを順次あてる撮影装置の制御方法であって、前記撮影装置は、被写体に対してフォーカスの位置を取得するフォーカス位置取得ステップと、前記フォーカス位置取得ステップによって取得した位置を撮影時に利用する位置として用いないことを示すフォーカス対象外情報を記憶する記憶ステップと、前記記憶ステップによって記憶された位置を除外して、前記被写体に対してフォーカスをあてるフォーカス制御ステップと、を実行することを特徴とする。
【００１４】
上記課題を解決するための第３の発明は、複数の被写体に対してそれぞれフォーカスを順次あてる撮影装置で読取実行可能なプログラムあって、前記撮影装置を、被写体に対してフォーカスの位置を取得するフォーカス位置取得手段と、前記フォーカス位置取得手段によって取得した位置を撮影時に利用する位置として用いないことを示すフォーカス対象外情報を記憶する記憶手段と、前記記憶手段によって記憶された位置を除外して、前記被写体に対してフォーカスをあてるフォーカス制御手段と、して機能させることを特徴とする。
【発明の効果】
【００１５】
本発明によれば、ＡＦ機能により意図しない被写体へあったピントにおける合焦位置を適宜除外してピント合わせを行うことで、ユーザが所望する被写体へ容易にピントを合わせることができる、という効果を奏する。
【図面の簡単な説明】
【００１６】
【図１】本発明の実施形態に係る撮影装置の構成を示す構成図である。
【図２】本発明の実施形態に係る撮影装置のハードウェアの構成を示す構成図である。
【図３】本発明の実施形態に係る撮影装置で実行される合焦位置を決定する処理を示すフローチャートである。
【図４】本発明の実施形態において、合焦位置と合焦位置を顔認識によって取得した情報を説明するための説明図である。
【図５】本発明の実施形態に係る撮影装置の合焦位置リスト及び顔認識有無リストの構成を示す構成図である。
【図６】本発明に実施形態に係る具体例１を説明するための説明図である。
【図７】本発明に実施形態に係る具体例１を説明するための説明図である。
【図８】本発明に実施形態に係る具体例１を説明するための説明図である。
【発明を実施するための形態】
【００１７】
図１には、本発明の実施形態に係る撮影装置１００が示されており、この撮影装置１００については、デジタルスチルカメラやカメラ機能を備えた携帯端末等の情報処理装置等でも良い。
【００１８】
次に、図２を参照して、本発明を実施する撮影装置１００のハードウェア構成について説明する。
【００１９】
撮影装置１００は、撮影用のレンズ２０１、撮像素子（以下、「ＣＣＤ」と称する）２０２、カメラ信号処理部（以下、「ＡＤＣ」と称する）２０３、画像処理部２０４、システムコントローラ２１０、バッファメモリ２１１、フラッシュＲＯＭ２１２、インターフェース回路（以下、「Ｉ／Ｆ回路」と称する）２１３、カードホルダ２１４、メモリカード２１５、ディスプレイドライバ２１６、および操作部２２０を備える。
【００２０】
レンズ２０１は、レンズ等であり、対物レンズ、ズームレンズ、およびフォーカスレンズなどで構成される。ズームレンズおよびフォーカスレンズについては、不図示の駆動機構により光軸方向へ駆動される。撮像素子２０２は、レンズ２０１から入射した撮像光を結像し、電気信号（アナログ信号）に変換して出力するＣＣＤイメージセンサで構成される。
【００２１】
カメラ信号処理部（ＡＤＣ）２０３は、撮像素子２０２から受けた電気信号にデジタル変換やホワイトバランス調整などの信号処理を行なって、デジタル信号に変換する機能を有する。システムコントローラ２１０は、画像処理部２０４、バッファメモリ２１１、フラッシュＲＯＭ２１２、Ｉ／Ｆ回路２１３、ディスプレイドライバ２１６、サウンドドライバ２１８、ＬＥＤドライバ２２８、操作部２２０、磁気センサ２３１、加速度センサ２３２、および角速度センサ２３３に接続されている
【００２２】
画像処理部２０４は、前処理部２０５、ＹＣ処理部２０６、電子ズーム処理部２０７、圧縮部２０８、および伸長部２０９を備え、ＡＤＣ２０３から出力されるデジタル信号から画像データを生成し、各種画像処理を行う機能を有する。
【００２３】
前処理部２０５は、入力される画像データに基づく画像のホワイトバランスを調整するホワイトバランス処理や画像のガンマ補正処理を行う機能を有する。ホワイトバランス処理は、画像の色合いを、実物の色合いに近くなるように調整したり、光源（蛍光灯や太陽光など）に合った適正な色に調整したりする処理である。ガンマ補正処理は、画像のコントラストを調整する処理である。なお、前処理部２０５は、ホワイトバランス処理およびガンマ補正処理以外の画像処理を実行することも可能である。
【００２４】
ＹＣ処理部２０６は、入力される画像データに基づく画像を、輝度情報「Ｙ」と、輝度信号と青色の色差情報「Ｃｂ」と、輝度信号と赤色の色差情報「Ｃｒ」とに分離する機能を有する。電子ズーム処理部２０７は、画像の一部（例えば中央部）を所定の大きさでトリミングし、トリミングした画像を信号処理で元画像の大きさに拡大する機能を有する。
【００２５】
電子ズーム処理部２０７は、例えば、撮影された１６００×１２００ドットの画像から中央の１０２４×７６８ドットの画像を切り出し、データ補間を行いながら１６００×１２００ドットのサイズに拡大することができる。
【００２６】
圧縮部２０８は、画像データをＪＰＥＧ（Ｊｏｉｎｔ  Ｐｈｏｔｏｇｒａｐｈｉｃ  Ｅｘｐｅｒｔ  Ｇｒｏｕｐ）方式などの圧縮形式によって圧縮する機能を有する。伸長部２０９は、圧縮されている画像データを伸長する機能を有する。例えば、画像データをＪＰＥＧ方式で圧縮する場合、まず、画像データの高周波成分と低周波成分の割合を数値化する離散コサイン変換処理が行われる（ＤＣＴ処理）。次に、画像の階調やグラデーションを表現する段階を数値（量子化ビット数）で表現する量子化処理が行われる。最後に、ハフマン符号化処理で画像データが圧縮される。
【００２７】
具体的には、画像データの信号文字列が一定のビット毎に区切られ、出現頻度が高い文字列に対してより短い符号が与えてられてゆく。なお、圧縮処理を行わないで画像データを記録する方式の場合は、圧縮部２０８および伸長部２０９を省略することができる。また、画像データの圧縮形式は、ＪＰＥＧ方式に限らず、ＧＩＦ（Ｇｒａｐｈｉｃａｌ  Ｉｎｔｅｒｃｈａｎｇｅ  Ｆｏｒｍａｔ）形式などであっても、同様に処理を行うことができる。
【００２８】
バッファメモリ２１１には、画像処理部２０４で画像処理が行われる際に、一時的に画像データが保存される。フラッシュＲＯＭ２１２には、撮影装置１００の各種設定情報や、後述するユーザ認証情報が保存される。Ｉ／Ｆ回路２１３は、システムコントローラ２１０から出力される画像データを、メモリカード２１５に記録可能なデータ形式に変換する。また、Ｉ／Ｆ回路２１３は、メモリカード２１５から読み出された画像データ等を、システムコントローラ２１０で処理可能なデータ形式に変換する。
【００２９】
カードホルダ２１４は、記録媒体であるメモリカード２１５を撮影装置１００に着脱可能にする機構を備えると共に、メモリカード２１５との間でデータ通信が可能な電気接点を備える。また、カードホルダ２１４は、撮影装置１００で利用される記録媒体の種類に応じた構造を有する。メモリカード２１５は、フラッシュメモリなどの半導体記憶素子を内蔵し、カードホルダ２１４に着脱可能なカード型の記録媒体である。メモリカード２１５には、撮影装置１００で撮影された画像データを記録することができる。
【００３０】
ディスプレイドライバ２１６は、システムコントローラ２１０から出力される画像データを液晶ディスプレイ２１７で表示可能な信号に変換する。具体的には、ディスプレイドライバ２１６は、システムコントローラ２１０から出力されるデジタルの画像データをアナログ画像信号に変換する処理を行い、次に画像サイズを液晶ディスプレイ２１７の表示可能エリアのサイズに適したサイズに変換する処理を行う。
【００３１】
サウンドドライバ２１８は、システムコントローラ２１０から出力される音声データをスピーカ２１９で鳴動可能な信号に変換する処理を行う。ＬＥＤ（Ｌｉｇｈｔ  Ｅｍｉｔｔｉｎｇ  Ｄｉｏｄｅ）ドライバ２２８は、システムコントローラ２１０から出力される命令に従いランプ２２９の制御を行う。
【００３２】
操作部２２０は、電源スイッチ２２１、モードダイヤル２２２、撮影ボタン２２３、カーソルキー２２４、ズームボタン２２５、および閲覧（再生）ボタン２２６を備え、ユーザからの操作入力を受け付けて、操作内容に応じた信号をシステムコントローラ２１０に出力する。なお、操作部２２０には、図示の操作ボタン以外の操作ボタン類も含まれるが、それらの説明は省略する。
【００３３】
モードダイヤル（選択ボタン）２２２は、撮影動作のモードを切り替えるための回転可能なダイヤルである。ユーザはモードダイヤル２２２を操作することで、複数の撮影動作モードを選択することが可能である。
【００３４】
なお、モードダイヤルは、ダイヤル式機構として記載をするが、例えば、ダイヤルではなくスライド式のボタンであってもよい。つまり、モードダイヤル２２２について、その機構はダイヤルに限定されず、カメラのモードを切り替えられるための機構を備えていることが本質である。
【００３５】
閲覧ボタン２２６は、撮影した画像データを閲覧する閲覧モード（再生モード）に切り替えるためのボタンである。閲覧ボタン２２６が押下されると、撮影モードから閲覧モードに移行する。なお、閲覧モードへの切替方法については、閲覧ボタン２２６の押下に限定されず、液晶ディスプレイ２１７上のタッチパネル（不図示）などによる移行方法であってもよい。
【００３６】
閲覧モードでは、システムコントローラ２１０が、Ｉ／Ｆ回路２１３を介して、カードホルダ１１４に装着されているメモリカード２１５から設定情報と画像データを読み出す。設定情報は、現在装着されているメモリカード２１５に記録されている画像の枚数および記録されている画像データの容量などである。
【００３７】
読み出される画像データは、例えば、画像１枚分の画像データまたはサムネイルデータである。なお、メモリカード２１５から読み出される画像データは、上述したように所定の圧縮形式で圧縮されている。
【００３８】
メモリカード２１５から読み出された画像データは、Ｉ／Ｆ回路２１３およびシステムコントローラ２１０を介して、ディスプレイドライバ２１６へ入力される。ディスプレイドライバ２１６は、入力された画像データを液晶ディスプレイ２１７に表示させる。
【００３９】
カーソルキー２２４は、ユーザが撮影装置１００に対する所定の指示や機能選択を行うためのキーである。ユーザは、カーソルキー２２４により、撮影装置１００に対する各種設定情報やユーザ認証情報などの操作入力を行うことができる。
【００４０】
また、カーソルキー２２４により、液晶ディスプレイ２１７にメニュー画面や撮影装置１００に対して各種設定情報を設定するための画面を表示したり、本発明における被写体を追尾するための機能を選択することも可能であり、更に、撮影装置１００が有する他の所定の機能を選択することができる。
【００４１】
さらに、カーソルキー２２４により、撮影装置１００で撮影された画像データを液晶ディスプレイ２１７上にプレビュー表示させることができる。プレビュー表示とは、撮影装置１００で撮影した画像を、その直後に液晶ディスプレイ２１７に表示させる機能である。
【００４２】
なお、プレビュー表示については、液晶ディスプレイ２１７上に撮影した画像を１枚のみ表示する構成に限定されず、サムネイル画像を含む複数の画像を表示するように構成してもよい。また、プレビュー表示の切り替えについては、カーソルキー２２４の押下に限らず、他のボタンの押下などの一般的な方法を利用して切り替えられる構成にしてもよい。また、プレビュー表示画面で、プレビュー表示画像の削除や編集などが行えるように構成してもよい。
【００４３】
レンズ制御部２２７は、レンズ２０１のレンズに対して、ズーム、フォーカス、絞り等の制御を行う。また、撮影装置１００は、被写体を撮像して画像データを得る撮影モードと当該撮影モードで得た画像データを表示する閲覧（再生）モードとを備える。
【００４４】
なお、音声についてはマイクやスピーカを用いることで、撮影装置１００と同様に記録、及び再生が可能である。また、映像（動画）記録時には、通常音声記録も同時に行われ、圧縮部２０８および伸長部２０９で、映像と音声が多重化される。
【００４５】
また、撮影装置１００における撮影動作について図１を用いて説明する。まず、ユーザが電源スイッチ２２１を操作し、撮影装置１００の電源をＯＮにする。すると、撮影装置１００に内蔵されているバッテリー（不図示）から各回路へ電源供給されて、撮影装置１００の起動処理（レンズバリアを開く動作制御およびマイクロコンピューターのリセット処理など）が行われる。
【００４６】
撮影装置１００は、電源ＯＦＦ時に電源スイッチ２２１が押下されると電源ＯＮとなり、自動的に撮影モードとなるように構成されている。また、電源ＯＦＦ時に閲覧ボタンが押下されると電源ＯＮとなり、自動的に閲覧モードとなるように構成されている。
【００４７】
撮影装置１００が撮影モードに移行すると、光学画像がレンズ２０１を介して撮影装置１００内へ入射し、撮像素子（ＣＣＤ）２０２に結像される。ＣＣＤ２０２は、入射される光学画像を電気信号に変換して、カメラ信号処理部（ＡＤＣ）２０３へ出力する。ＡＤＣ２０３は、入力される電気信号（アナログ信号）をデジタル信号に変換する。ＡＤＣ２０３から出力されるデジタル信号は画像処理部２０４に入力される。
【００４８】
画像処理部２０４内の前処理部２０５では、入力されるデジタル信号に基づき画像データを生成し、ホワイトバランス処理およびガンマ補正処理などが行われる。画像処理部２０４内のＹＣ処理部２０６では、画像データが輝度信号Ｙと色差信号ＣｒおよびＣｂとに分離され、色差信号ＣｒおよびＣｂの情報量を減らす処理が行われる。
【００４９】
色差信号ＣｒおよびＣｂの情報量の削減処理は、例えば、画像の主走査方向の色情報を間引く「４：２：２ダウンサンプリング処理」や、画像の縦横方向の色情報を間引く「４：１：１ダウンサンプリング処理」などがある。なお、前処理部２０５およびＹＣ処理部２０６で画像処理を行う際は、画像データを一時的にバッファメモリ２１１に保存し、随時バッファメモリ２１１に保存されている画像データを読み出しながら画像処理が行われる。
【００５０】
画像処理部２０４から出力される画像データ（非圧縮）はシステムコントローラ２１０に入力される。システムコントローラ２１０は、画像処理部２０４から出力される画像データを、ディスプレイドライバ２１６へ出力する。
【００５１】
ディスプレイドライバ２１６は、入力される画像データ（デジタル信号）をアナログ画像信号に変換すると共に、アナログ画像信号に基づく画像のサイズを液晶ディスプレイ２１７で表示可能なサイズに調整する。
【００５２】
また、ディスプレイドライバ２１６は、液晶ディスプレイ２１７に画像を表示させるよう制御する。このとき、液晶ディスプレイ２１７に表示される画像は、ＣＣＤ２０２、ＡＤＣ２０３、および画像処理部２０４で、連続的に信号処理されて生成される画像（スルー画像）である。
【００５３】
液晶ディスプレイ２１７にスルー画像が表示されている状態で、ユーザが希望のタイミングで撮影ボタン２２３を操作すると、システムコントローラ２１０は画像処理部２０４に制御信号を出力する。画像処理部２０４に制御信号が入力されると、圧縮部２０８は、前処理部２０５およびＹＣ処理部２０６で画像処理された画像データをバッファメモリ２１１へ保存し、圧縮処理を行う。
【００５４】
具体的には、画像データの高周波成分と低周波成分の割合を数値化する離散コサイン変換処理（ＤＣＴ処理）や、画像の階調やグラデーションを表現する段階を量子化ビット数で表現する量子化処理や、画像データの信号文字列を一定のビット毎に区切り、出現頻度が高い文字列に対して、より短い符号を与えてゆくハフマン符号化処理などが実行される。圧縮された画像データは、システムコントローラ２１０およびディスプレイドライバ２１６を介して液晶ディスプレイ２１７に表示される。また、圧縮された画像データは、カードホルダ２１４を介してメモリカード２１５に記録される。
【００５５】
更に、撮影ボタン２２３を半押し状態とすることで、システムコントローラ２１０を介して、レンズ制御部２２７を制御することにより、被写体に対して自動でフォーカスの合った合焦位置を取得することが可能である。
【００５６】
撮影ボタン２２３が操作される前にズームボタン２２５が操作されると、システムコントローラ２１０は光学ズーム処理や電子ズーム処理を実行し、画像の大きさを拡大または縮小させることができる。そして、ズームボタン２２５の操作後、撮影ボタン２２３が操作されると、拡大または縮小された画像の画像データがメモリカード２１５へ記録される。
【００５７】
書込み部２３０は、カーソルキー２２４により指示入力された設定情報を用いて、画像データに対して、書込みを行う。例えば、デジタルカメラの機種名や、撮影年月日、露出情報、撮影位置等が入力されたＥｘｉｆ（Exchangeable Image File Format）に対して、書込み編集を行う。
【００５８】
磁気センサ２３１は、磁場の大きさ・方向を計測するセンサであり、結果をシステムコントローラ２１０に出力する。撮影装置１００の方位角（後述）を計測するために用いる。
【００５９】
加速度センサ２３２は、撮影装置１００の加速度を計測するセンサであり、結果をシステムコントローラ２１０に出力する。撮影装置１００の水平線（地面に対する水平線、以下、同じ）に対する傾き、高度を計測し、角速度等で示される移動速度を補正するために用いる（後述）。
【００６０】
角速度センサ２３３は、撮影装置１００の角速度を計測するセンサであり、結果をシステムコントローラ２１０に出力する。撮影装置１００の移動速度を計測し、傾き、高度を補正するために用いる。
【００６１】
次に、図３を用いて、この撮影装置１００を用いて、本発明における合焦位置を決定する処理を説明する。尚、本処理は、システムコントローラ２１０の制御の下、処理が実行される。
【００６２】
ステップＳ１０１では、液晶ディスプレイ２１７のタッチパネルにて、ユーザ操作によりタッチ操作がなされたか否かを検出し、タッチ操作を検出した場合は、ステップＳ１０２へ処理を進め、タッチ操作を検出しなかった場合、ステップＳ１０３へ処理を進める。
【００６３】
ステップＳ１０２では、タッチ操作された位置の周辺エリアをフォーカスの対象とするエリアとして絞り込む。尚、タッチ操作を検出しない場合は、液晶ディスプレイ２１７の全体がフォーカス対象エリアとなる。
【００６４】
ステップＳ１０３では、ユーザ操作による撮影ボタン２２３の半押しを検出すると、ステップＳ１０４においてピント合わせを開始する。
【００６５】
ステップＳ１０５では、フォーカス処理を行う。後述のステップＳ１１３において除外された合焦位置、またはステップＳ１１４において顔認識エリアが除外されている場合は、ステップＳ１１５における対象外の合焦位置リストに合致しないエリアを対象にフォーカス処理を行い、ピントが合えばステップＳ１０６において合焦位置が仮決定される。
【００６６】
ここで記載された合焦位置とは、図４に示すように、ピント合わせによって、撮影レンズと結像面との距離を変化させ、結像面の焦点が合えばピントが合った状態となるが、そのときの撮影レンズの基準点からの移動量を用いており、更に、ピント合わせに、顔認識技術を用いてピント合わせを行ったか否かに関する情報（行った場合、ＯＮ、行っていない場合、ＯＦＦ）を取得している。
【００６７】
更に、本ステップ以後では、ステップＳ１０２によってフォーカスエリアを絞り込んだ場合、その絞り込んだ範囲内で、フォーカス処理を行う。
【００６８】
ステップＳ１０７では、液晶ディスプレイ２１７にピントがあったエリアをユーザが目視で確認できるよう表示を行う。
【００６９】
ステップＳ１０８では、ユーザ操作により半押しの撮影ボタン２２３が押し込まれたか否かを検出し、押し込まれたことを検出した場合は、ステップＳ１１７へ処理を進め、押し込まれたことを検出しない場合、つまり、ユーザ操作により半押しの撮影ボタン２２３が押しこまれることなくボタンから指が離されると、ステップＳ１０９へ処理を進める。
【００７０】
ステップＳ１０９では、ユーザ操作により半押しの撮影ボタン２２３が押しこまれることなくボタンから指が離されたこと、つまり、撮影ボタン２２３の半押しが解除されたことを検出する。
【００７１】
ステップＳ１１０では、ユーザ操作によって、再度、撮影ボタン２２３の半押しを検出した場合、ステップＳ１０９において半押し解除を検出してから所定時間以内（例えば、０．２秒以内）であれば、ステップＳ１１１へ処理を進め、所定時間以内でなければ、ステップＳ１１９へ処理を進める。
【００７２】
ステップＳ１１１では、現在の合焦位置は、対象外とみなし、ステップＳ１１２では、ステップＳ１１１において、対象外とした合焦位置が顔認識によるものであるか否かを判定し、顔認識によるものであると判定しない場合は、ステップＳ１１３へ処理を進め、顔認識によるものであると判定した場合は、ステップＳ１１４へ処理を進める。
【００７３】
ステップＳ１１３では、該当の合焦位置をピント合わせの対象から除外し、ステップＳ１１４では、顔認識を合焦位置の決定要素から除外する。
【００７４】
但し、図５の下段に示される顔認識有無リストについては、顔認識を合焦位置の決定要素から除外する場合は、ＮＯとし、除外しない場合は、ＹＥＳとする。本実施形態では、ＮＯと設定されているため、顔認識を合焦位置の決定要素から除外する。
【００７５】
ステップＳ１１５では、ステップＳ１１３およびステップＳ１１４で除外とされた対象を対象外の合焦位置リストに記憶する。
【００７６】
対象外の合焦位置リストとは、図５の上段に示すリストを示しており、ピント合わせの対象から除外した合焦位置を識別するためのＩＤを示すＩｎｄｅｘ、当該合焦位置、及び対象外とした合焦位置が顔認識によるものであるか否かを示す顔認識フラグ（ＯＮのときは、顔認識によるものであることを示し、ＯＦＦのときは、顔認識によらないものであることを示す）を含んで構成されている。
【００７７】
ステップＳ１１６では、液晶ディスプレイ２１７内において対象外の合焦位置リストに合致しないエリアが残っているかをチェックし、対象エリアが残っていれば、再びステップＳ１０４へ戻りピント合わせを行い、対象エリアが残っていなければ、ステップＳ１１９へ処理を進める。
【００７８】
ステップＳ１１７では、前述のステップＳ１０６で仮決定されていた合焦位置を確定し、ステップＳ１１８では、ステップＳ１１７で確定した合焦位置を用いて、撮影が実行される。
【００７９】
ステップＳ１１９では、対象外の合焦位置リスト及び顔認識した位置を対象外とするか否かを示す顔認識有無リスト（図５の下段参照）をクリアする。
【００８０】
この対象外の合焦値リスト及び顔認識有無リストをクリアする理由としては、第１に、ステップＳ１１０からの処理である場合、ステップＳ１０９において半押し解除を検出してから所定時間を越えている場合は、それまで記憶していた対象外の合焦位置リストと、顔認識有無リストと、をクリアするが、これは、目的の被写体になかなかピントが合わない時の使い勝手を考慮し、すばやく液晶ディスプレイ２１７内のすべてのエリアを対象とし直すことを可能とするためである。
【００８１】
また、第２に、ステップＳ１１６からの処理である場合、液晶ディスプレイ２１７内で全てのエリが除外されている場合は、ピント合わせを続けて行うことは不可能なので、それまで記憶していた対象外の合焦位置リストと顔認識除外の有無を、ステップＳ１１９でクリアし、液晶ディスプレイ２１７内のすべてのエリアについてステップＳ１０４からピント合わせをやり直す。
【００８２】
また、第３に、ステップＳ１１８からの処理である場合、撮影が実行された場合も、次の撮影に備え、それまで記憶していた対象外の合焦位置リストと顔認識除外の有無を、クリアして、新たな撮影を行う。
（具体例１）
次に、本発明の実施形態に係る具体例１を以下に示す。
【００８３】
図６に示すように、３０１では、ユーザが、本来、ピントを合わせたい位置を電車の先方部分としているが、ＡＦ機能を用いることによって、３０２のように、目的としない被写体に対してピントが合ってしまう（ステップＳ１０６、Ｓ１０７）。
【００８４】
従って、３０３に示すように、ユーザは、半押しされた撮影ボタン２２３から指を離し（ステップＳ１０８、Ｓ１０９）、再度、撮影ボタン２２３が半押しされた場合（ステップＳ１１０）、ピントが合っていた合焦位置をピントの対象外とする（ステップＳ１１１からステップＳ１１３）。
【００８５】
そして、この合焦位置を対象外の合焦位置リストに記憶した後（ステップＳ１１５）、対象とするエリアが残っていると判定されて（ステップＳ１１６）、再び、ピント合わせを行う。
【００８６】
再度、３０４に示すように、新たに、目的としない被写体にピントがあった場合（ステップＳ１０６、Ｓ１０７）、３０５に示すように、ユーザは、半押しされた撮影ボタン２２３から指を離し（ステップＳ１０８、Ｓ１０９）、再度、撮影ボタン２２３が半押して（ステップＳ１１０）、ピントが合っていた合焦位置をピントの対象外とする（ステップＳ１１１からステップＳ１１３）。
【００８７】
そして、前述と同様に、この合焦位置を対象外の合焦位置リストに記憶した後（ステップＳ１１５）、対象とするエリアが残っていると判定されて（ステップＳ１１６）、再び、ピント合わせを行う。
【００８８】
このような処理を繰り返し行い、本来、目的とする被写体にピントがあうと、３０６に示すように、半押しの撮影ボタン２２３が押し込まれ（ステップＳ１０８）、このピントが合った位置を合焦位置として確定して（ステップＳ１１７）、撮影を実行する（ステップＳ１１８）。
（具体例２）
次に、本発明の実施形態に係る具体例２を以下に示す。
【００８９】
図７に示すように、４０１では、ユーザが、本来、ピントを合わせたい位置を檻の中にいる動物としているが、ＡＦ機能を用いることによって、４０２のように、目的としない被写体（檻）に対してピントが合ってしまう（ステップＳ１０６、Ｓ１０７）。
【００９０】
従って、４０３に示すように、ユーザは、半押しされた撮影ボタン２２３から指を離し（ステップＳ１０８、Ｓ１０９）、再度、撮影ボタン２２３が半押しされた場合（ステップＳ１１０）、ピントが合っていた合焦位置をピントの対象外とする（ステップＳ１１１からステップＳ１１３）。
【００９１】
そして、この合焦位置を対象外の合焦位置リストに記憶した後（ステップＳ１１５）、対象とするエリアが残っていると判定されて（ステップＳ１１６）、再び、ピント合わせを行う。
【００９２】
この処理を繰り返すことによって、４０４に示すように、ピントを合わせたい動物へピントを合わせることが可能となる。もし、本発明のように、檻のように、ピントを合わせたくない合焦位置をピントの対象外とすることができないようであれば、４０５及び４０６に示すように、何度も、檻にピントが合わされてしまい、ユーザが、所望する撮影を行うことができない。
（具体例３）
次に、本発明の実施形態に係る具体例３を以下に示す。
【００９３】
図８に示すように、５０１では、ユーザが、本来、ピントを合わせたい位置を檻の中にいる動物としているが、液晶ディスプレイ２１７に対してタッチ操作を行うことによって、その操作位置にフォーカスをあてる機能を実行しようとした際に（ステップＳ１０１、ステップＳ１０２）、５０２のように、目的としない被写体（檻）に対してピントが合ってしまう（ステップＳ１０６、Ｓ１０７）。
【００９４】
これは、ユーザが、液晶ディスプレイ２１７に対してタッチ操作を行う際に、檻の背後に映っている動物に触れることができずに、５０３から５０５のように、動物の手前の檻に触れてしまう。
【００９５】
そこで、具体例１及び具体例２で示したように、５０６に示すように、ユーザは、半押しされた撮影ボタン２２３から指を離し（ステップＳ１０８、Ｓ１０９）、再度、撮影ボタン２２３が半押しされた場合（ステップＳ１１０）、ピントが合っていた合焦位置をピントの対象外とする（ステップＳ１１１からステップＳ１１３）。
【００９６】
そして、この合焦位置を対象外の合焦位置リストに記憶した後（ステップＳ１１５）、対象とするエリアが残っていると判定されて（ステップＳ１１６）、再び、ピント合わせを行う。
【００９７】
この処理を繰り返すことによって、５０７に示すように、ピントを合わせたい動物へピントを合わせることが可能となる。
【００９８】
以上、本発明の実施形態によれば、ＡＦ機能により意図しない被写体へあったピントにおける合焦位置を適宜除外してピント合わせを行うことで、ユーザが所望する被写体へ容易にピントを合わせることができる。
【００９９】
また、本発明によれば、ＡＦにより意図しない被写体へピントがあった時、液晶ディスプレイ２１７内でピント合わせの対象とする合焦位置を次々と素早く絞り込んでいくことができる。
【０１００】
また、本発明によれば、撮影者が意図する被写体かどうか、敢えて撮影者が目視で確認ことにより確実に判定でき、かつ、複雑なアルゴリズムを必要としない。
【０１０１】
更に、本発明によれば、撮影ボタン２２３半押し操作で行うため、ハードウェアに専用のスイッチを新設する必要がなく、液晶ディスプレイ２１７を覗いたままで撮影に集中できる。
【０１０２】
また、本発明におけるプログラムは、各処理方法をコンピュータが実行可能（読取可能）なプログラムであり、本発明の記憶媒体は、各処理方法をコンピュータが実行可能なプログラムが記憶されている。
【０１０３】
なお、本発明におけるプログラムは、各装置の処理方法ごとのプログラムであってもよい。
【０１０４】
以上のように、前述した実施形態の機能を実現するプログラムを記録した記録媒体を、装置に供給し、その装置のコンピュータ（またはＣＰＵやＭＰＵ）が記録媒体に格納されたプログラムを読取り実行することによっても、本発明の目的が達成されることは言うまでもない。
【０１０５】
この場合、記録媒体から読み出されたプログラム自体が本発明の新規な機能を実現することになり、そのプログラムを記憶した記録媒体は本発明を構成することになる。プログラムを供給するための記録媒体としては、例えば、フレキシブルディスク，ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることができる。
【０１０６】
また、コンピュータが読み出したプログラムを実行することにより、前述した実施形態の機能が実現されるだけでなく、そのプログラムの指示に基づき、コンピュータで稼働しているＯＳ等が実際の処理の一部または全部を行い、その処理によって前述した実施形態の機能が実現される場合も含まれることは言うまでもない。
【０１０７】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０８】
また、本発明は、装置にプログラムを供給することによって達成される場合にも適応できることは言うまでもない。
【０１０９】
この場合、本発明を達成するためのプログラムを格納した記録媒体を該システムあるいは装置に読み出すことによって、そのシステムあるいは装置が、本発明の効果を享受することが可能となる。
【０１１０】
さらに、本発明を達成するためのプログラムをネットワーク上のサーバ，データベース等から通信プログラムによりダウンロードして読み出すことによって、その装置が、本発明の効果を享受することが可能となる。なお、上述した各実施形態およびその変形例を組み合わせた構成も全て本発明に含まれるものである。
【符号の説明】
【０１１１】
１００    撮影装置
２０１    レンズ
２０２    撮像素子
２０３    カメラ信号処理部
２０４    画像処理部
２０５    前処理部
２０６    ＹＣ処理部
２０７    電子ズーム処理部
２０８    圧縮部
２０９    伸長部
２１０    システムコントローラ
２１１    バッファメモリ
２１２    フラッシュメモリ
２１３    Ｉ／Ｆ回路
２１４    カードホルダ
２１５    メモリカード
２１６    ディスプレイドライバ
２１７    ディスプレイ
２１８    サウンドドライバ
２１９    スピーカ
２２０    操作部
２２１    電源スイッチ
２２２    モードダイヤル
２２３    撮影ボタン
２２４    カーソルキー
２２５    ズームボタン
２２６    閲覧ボタン
２２７    レンズ制御部
２２８    ＬＥＤドライバ
２２９    ランプ
２３０    書込み部
２３１    磁気センサ
２３２    加速度センサ
２３３    角速度センサ
【図１】
2016071212.tif 000003
【図２】
2016071212.tif 000004
【図３】
2016071212.tif 000005
【図４】
2016071212.tif 000006
【図５】
2016071212.tif 000007
【図６】
2016071212.tif 000008
【図７】
2016071212.tif 000009
【図８】
2016071212.tif 000010